【手続補正書】
【提出日】平成27年7月27日(2015.7.27)
【手続補正１】
【補正対象書類名】特許請求の範囲
【補正対象項目名】全文
【補正方法】変更
【補正の内容】
【特許請求の範囲】
【請求項１】
互いに圧接された状態でニップ部を形成する第１回転体及び第２回転体と、
前記第１回転体を加熱し、前記ニップ部に搬送される記録紙に形成された画像を加熱する加熱装置と、
前記第１回転体と前記第２回転体とを圧接し、且つ、圧接力を変更して、前記ニップ部の記録紙の搬送方向のニップ幅を変更可能な圧接機構と、
前記第１回転体の温度を検知する温度検知センサと、
前記第１回転体と前記第２回転体とのうちの何れか一方の回転体を回転駆動する駆動機構と、
紙のすき目が記録紙の搬送方向と平行な縦目の記録紙を前記ニップ部に搬送する縦目送りモードと、紙のすき目が記録紙の搬送方向と直交する横目の記録紙を前記ニップ部に搬送する横目送りモードとを有し、前記縦目送りモードと前記横目送りモードとによって前記加熱装置と、前記圧接機構及び駆動機構のうちの少なくともいずれか１つとの設定を、前記すき目の違いによる記録紙の物性の違いに応じて変更する制御装置と、を備えた、
ことを特徴とする像加熱装置。
【請求項２】
前記制御装置は、前記縦目送りモードでは、前記圧接機構を制御して前記ニップ部の記録紙の搬送方向のニップ幅を第１ニップ幅に設定すると共に、前記加熱装置を制御して前記第１回転体の温度を第１温度よりも低い第２温度に設定し、
前記横目送りモードでは、前記圧接機構を制御して前記ニップ幅を前記第１ニップ幅よりも小さい第２ニップ幅に設定すると共に、前記加熱装置を制御して前記第１回転体の温度を前記第１温度に設定する、
ことを特徴とする、請求項１に記載の像加熱装置。
【請求項３】
前記制御装置は、前記横目送りモードでは、前記駆動機構を制御して前記ニップ部で記録紙を搬送する搬送速度を第１搬送速度に設定すると共に前記加熱装置を制御して前記第１回転体の温度を第１温度に設定し、
前記縦目送りモードでは、前記駆動機構を制御して前記ニップ部で記録紙を搬送する搬送速度を前記第１搬送速度よりも遅い第２搬送速度に設定すると共に前記加熱装置を制御して前記第１回転体の温度を前記第１温度よりも低い第２温度に設定する、
ことを特徴とする、請求項１に記載の像加熱装置。
【請求項４】
前記制御装置は、前記駆動機構による搬送速度を、前記横目送りモードでは第１搬送速度に、前記縦目送りモードでは前記第１搬送速度よりも遅い第２搬送速度に、それぞれ設定する、
ことを特徴とする、請求項２に記載の像加熱装置。
【請求項５】
互いに圧接された状態でニップ部を形成する第１回転体及び第２回転体と、
前記第１回転体を加熱し、前記ニップ部に搬送される記録材に形成された画像を加熱する加熱装置と、
前記第１回転体と前記第２回転体とを圧接し、且つ、圧接力を変更して、前記ニップ部の記録材の搬送方向のニップ幅を変更可能な圧接機構と、
前記第１回転体の温度を検知する温度検知センサと、
前記圧接機構と前記加熱装置とを制御して、前記ニップ幅及び前記第１回転体の温度が互いに異なり、且つ、記録材に定着された画像の定着性を所定の範囲で確保できる２つ以上のモードを実行可能な制御装置と、を備えた、
ことを特徴とする像加熱装置。
【請求項６】
前記制御装置は、紙のすき目が記録材の搬送方向と平行な縦目の記録材を前記ニップ部に搬送する縦目送りモードと、紙のすき目が記録材の搬送方向と直交する横目の記録材を前記ニップ部に搬送する横目送りモードとを実行可能であり、
前記縦目送りモードでは、前記ニップ幅を第１ニップ幅に設定すると共に前記第１回転体の温度を第１温度よりも低い第２温度に設定し、
前記横目送りモードでは、前記ニップ幅を前記第１ニップ幅よりも小さい第２ニップ幅に設定すると共に前記第１回転体の温度を前記第１温度に設定する、
ことを特徴とする、請求項５に記載の像加熱装置。
【請求項７】
前記第１回転体と前記第２回転体とのうちの何れか一方の回転体を回転駆動し、且つ、回転速度を変更して、前記ニップ部で記録材を搬送する搬送速度を、第１搬送速度と、前記第１搬送速度よりも遅い第２搬送速度とに設定可能な駆動機構を有し、
前記制御装置は、前記駆動機構による搬送速度を、前記縦目送りモードで前記第２搬送速度に、前記横目送りモードで前記第１搬送速度に、それぞれ設定する、
ことを特徴とする、請求項６に記載の像加熱装置。
【請求項８】
互いに圧接された状態でニップ部を形成する第１回転体及び第２回転体と、
前記第１回転体を加熱し、前記ニップ部に搬送される記録材に形成された画像を加熱する加熱装置と、
前記第１回転体と前記第２回転体とのうちの何れか一方の回転体を回転駆動し、且つ、回転速度を変更して、前記ニップ部で記録紙を搬送する搬送速度を変更可能な駆動機構と、
前記第１回転体の温度を検知する温度検知センサと、
前記駆動機構と前記加熱装置とを制御して、前記搬送速度及び前記第１回転体の温度が互いに異なり、且つ、記録紙に定着された画像の定着性を所定の範囲で確保できる２つ以上のモードを実行可能な制御装置と、を備えた、
ことを特徴とする像加熱装置。
【請求項９】
前記制御装置は、紙のすき目が記録紙の搬送方向と平行な縦目の記録紙を前記ニップ部に搬送する縦目送りモードと、紙のすき目が記録紙の搬送方向と直交する横目の記録紙を前記ニップ部に搬送する横目送りモードとを実行可能で、
前記横目送りモードでは、前記搬送速度を第１搬送速度に設定すると共に前記第１回転体の温度を第１温度に設定し、
前記縦目送りモードでは、前記搬送速度を前記第１搬送速度よりも遅い第２搬送速度に設定すると共に前記第１回転体の温度を前記第１温度よりも低い第２温度に設定する、
ことを特徴とする、請求項８に記載の像加熱装置。
【請求項１０】
前記制御装置は、記録紙に定着された画像の品位を優先する成果物優先モードと、画像が定着された記録紙の折り曲げ性を優先する折り曲げ優先モードとを実行可能で、
前記縦目送りモードが前記成果物優先モードで、前記横目送りモードが前記折り曲げ優先モードである、
ことを特徴とする、請求項６、７、９のうちの何れか１項に記載の像加熱装置。
【請求項１１】
紙にトナー画像を形成する画像形成部と、
ニップ部において前記紙上に形成されたトナー画像を加熱する第１回転体と、
前記第１回転体と共に前記ニップ部を形成する第２回転体と、
前記第１回転体を加熱する加熱部と、
前記第１回転体の温度を検知する検知部と、
前記検知部の検知結果に基づいて、前記第１回転体の温度が設定温度に保持されるように前記加熱部を制御する制御部と、
所定の坪量を有すると共に紙の搬送方向に直交する方向にすき目を有する第１紙に対して画像形成が行われる第１モードと、所定の坪量を有すると共に紙の搬送方向と略平行な方向にすき目を有する第２紙に対して画像形成が行われる第２モードとの複数の画像形成モードのうちの一つを選択的に実行する実行部と、
実行される画像形成モードに基づいて、前記設定温度及び前記第１及び第２回転体の間の圧力を設定する設定部と、を備え、
前記第１モードにおける前記設定温度は、前記第２モードにおける前記設定温度よりも高く、前記第１モードにおける圧力は、前記第２モードにおける圧力よりも低い、
ことを特徴とする画像形成装置。
【請求項１２】
前記搬送方向に直交する方向における前記ニップ部の端部と中央部のニップ幅の差が、前記第２モードの方が前記第１モードの場合よりも大きい、
ことを特徴とする請求項１１に記載の画像形成装置。
【請求項１３】
前記第１モードにおける前記ニップ幅の差は、略０である、
ことを特徴とする請求項１２に記載の画像形成装置。
【請求項１４】
操作者が前記第１もしくは第２モードのうちのいずれかの画像形成モードを選択可能に構成された操作部を備え、
前記実行部は、前記操作部によって選択された画像形成モードを実行する、
こと特徴とする請求項１１に記載の画像形成装置。
【請求項１５】
前記操作部は、画像形成モードを選択するためのキーを表示する、
ことを特徴とする請求項１４に記載の画像形成装置。
【請求項１６】
紙にトナー画像を形成する画像形成部と、
紙にトナー画像を定着させる定着部と、
所定の坪量を有すると共に紙の搬送方向に直交する方向にすき目を有する第１紙に対して画像形成が行われる第１モードと、所定の坪量を有すると共に紙の搬送方向と略平行な方向にすき目を有する第２紙に対して画像形成が行われる第２モードとの複数の画像形成モードのうちの一つを、操作者が選択することが可能な操作部と、
前記定着部の定着条件を前記操作部によって選択された画像形成モードに基づいて設定する設定部と、を備え、
前記第１モードにおける定着条件は、前記第２モードにおける定着条件とは異なる、
ことを特徴とする画像形成装置。
【請求項１７】
前記定着部は、ニップ部においてトナー画像を加熱する第１回転体と、前記第１回転体と共に前記ニップ部を形成する第２回転体と、前記第１回転体を加熱する加熱部と、を備え、
前記定着条件は、前記第１回転体の設定温度及び前記第１及び第２回転体の間の圧力を含み、
前記第１モードにおける前記設定温度は、前記第２モードにおける前記設定温度よりも高く、前記第１モードにおける前記圧力は、前記第２モードにおける前記圧力よりも低い、
ことを特徴とする請求項１６に記載の画像形成装置。
【請求項１８】
前記搬送方向に直交する方向における前記ニップ部の端部と中央部のニップ幅の差が、前記第２モードの方が前記第１モードの場合よりも大きい、
ことを特徴とする請求項１７に記載の画像形成装置。
【請求項１９】
前記第１モードにおける前記ニップ幅の差は、略０である、
ことを特徴とする請求項１８に記載の画像形成装置。
【請求項２０】
前記定着部は、ニップ部においてトナー画像を加熱する第１回転体と、前記第１回転体と共に前記ニップ部を形成する第２回転体と、前記第１回転体を加熱する加熱部と、を備え、
前記定着条件は、前記第１回転体の設定温度及び前記第１回転体の周速度を含み、
前記第１モードにおける前記設定温度は、前記第２モードにおける前記設定温度よりも高く、前記第１モードにおける前記周速度は、前記第２モードにおける前記周速度よりも速い、
ことを特徴とする請求項１６に記載の画像形成装置。
【請求項２１】
前記操作部は、画像形成モードを選択するためのキーを表示する、
ことを特徴とする請求項１６に記載の画像形成装置。
【手続補正２】
【補正対象書類名】明細書
【補正対象項目名】発明の名称
【補正方法】変更
【補正の内容】
【発明の名称】像加熱装置及び画像形成装置
【手続補正３】
【補正対象書類名】明細書
【補正対象項目名】００１３
【補正方法】変更
【補正の内容】
【００１３】
本発明に係る像加熱装置は、互いに圧接された状態でニップ部を形成する第１回転体及び第２回転体と、前記第１回転体を加熱し、前記ニップ部に搬送される記録紙に形成された画像を加熱する加熱装置と、前記第１回転体と前記第２回転体とを圧接し、且つ、圧接力を変更して、前記ニップ部の記録紙の搬送方向のニップ幅を変更可能な圧接機構と、前記第１回転体の温度を検知する温度検知センサと、前記第１回転体と前記第２回転体とのうちの何れか一方の回転体を回転駆動する駆動機構と、紙のすき目が記録紙の搬送方向と平行な縦目の記録紙を前記ニップ部に搬送する縦目送りモードと、紙のすき目が記録紙の搬送方向と直交する横目の記録紙を前記ニップ部に搬送する横目送りモードとを有し、前記縦目送りモードと前記横目送りモードとによって前記加熱装置と、前記圧接機構及び駆動機構のうちの少なくともいずれか１つとの設定を、前記すき目の違いによる記録紙の物性の違いに応じて変更する制御装置と、を備えた、ことを特徴とする。
また、本発明に係る像加熱装置は、互いに圧接された状態でニップ部を形成する第１回転体及び第２回転体と、前記第１回転体を加熱し、前記ニップ部に搬送される記録材に形成された画像を加熱する加熱装置と、前記第１回転体と前記第２回転体とを圧接し、且つ、圧接力を変更して、前記ニップ部の記録材の搬送方向のニップ幅を変更可能な圧接機構と、前記第１回転体の温度を検知する温度検知センサと、前記圧接機構と前記加熱装置とを制御して、前記ニップ幅及び前記第１回転体の温度が互いに異なり、且つ、記録材に定着された画像の定着性を所定の範囲で確保できる２つ以上のモードを実行可能な制御装置と、を備えた、ことを特徴とする。
更に、本発明に係る像加熱装置は、互いに圧接された状態でニップ部を形成する第１回転体及び第２回転体と、前記第１回転体を加熱し、前記ニップ部に搬送される記録材に形成された画像を加熱する加熱装置と、前記第１回転体と前記第２回転体とのうちの何れか一方の回転体を回転駆動し、且つ、回転速度を変更して、前記ニップ部で記録紙を搬送する搬送速度を変更可能な駆動機構と、前記第１回転体の温度を検知する温度検知センサと、前記駆動機構と前記加熱装置とを制御して、前記搬送速度及び前記第１回転体の温度が互いに異なり、且つ、記録紙に定着された画像の定着性を所定の範囲で確保できる２つ以上のモードを実行可能な制御装置と、を備えた、ことを特徴とする。
また、本発明に係る画像形成装置は、紙にトナー画像を形成する画像形成部と、ニップ部において前記紙上に形成されたトナー画像を加熱する第１回転体と、前記第１回転体と共に前記ニップ部を形成する第２回転体と、前記第１回転体を加熱する加熱部と、前記第１回転体の温度を検知する検知部と、前記検知部の検知結果に基づいて、前記第１回転体の温度が設定温度に保持されるように前記加熱部を制御する制御部と、所定の坪量を有すると共に紙の搬送方向に直交する方向にすき目を有する第１紙に対して画像形成が行われる第１モードと、所定の坪量を有すると共に紙の搬送方向と略平行な方向にすき目を有する第２紙に対して画像形成が行われる第２モードとの複数の画像形成モードのうちの一つを選択的に実行する実行部と、実行される画像形成モードに基づいて、前記設定温度及び前記第１及び第２回転体の間の圧力を設定する設定部と、を備え、前記第１モードにおける前記設定温度は、前記第２モードにおける前記設定温度よりも高く、前記第１モードにおける圧力は、前記第２モードにおける圧力よりも低い、ことを特徴とする。
更に、本発明に係る画像形成装置は、紙にトナー画像を形成する画像形成部と、紙にトナー画像を定着させる定着部と、所定の坪量を有すると共に紙の搬送方向に直交する方向にすき目を有する第１紙に対して画像形成が行われる第１モードと、所定の坪量を有すると共に紙の搬送方向と略平行な方向にすき目を有する第２紙に対して画像形成が行われる第２モードとの複数の画像形成モードのうちの一つを、操作者が選択することが可能な操作部と、前記定着部の定着条件を前記操作部によって選択された画像形成モードに基づいて設定する設定部と、を備え、前記第１モードにおける定着条件は、前記第２モードにおける定着条件とは異なる、ことを特徴とする。
【手続補正４】
【補正対象書類名】明細書
【補正対象項目名】００２７
【補正方法】変更
【補正の内容】
【００２７】
定着装置９は、互いに圧接された状態でニップ部Ｎを形成する第１回転体としての定着ローラ４０、及び、第２回転体としての加圧ローラ４１を備える。定着ローラ４０の内部には、定着ローラ４０を加熱し、ニップ部Ｎに搬送される記録材に形成された画像を加熱する加熱装置としてのハロゲンヒータ４０ａを配置している。また、加圧ローラ４１の内部にも、加熱装置としてのハロゲンヒータ４１ａを配置している。
【手続補正５】
【補正対象書類名】明細書
【補正対象項目名】００５４
【補正方法】変更
【補正の内容】
【００５４】
このように本実施形態の場合、制御装置２０２は、紙のすき目の違いによる記録紙の物性の違いに応じて、縦目送りモードと、横目送りモードとで、定着条件（本実施の形態の場合、加熱装置と圧接機構との設定）を異ならせている。これにより、ユーザの希望に応じたモードを選択されることで、希望の成果物を得られるようにしている。前述したように、ニップ部で記録材が搬送される搬送方向が縦目方向である場合には、この搬送方向と直交する方向に記録材が撓み易いため、紙皺が発生し易い。一方、記録材の搬送方向が横目方向である場合には、この搬送方向と平行な方向に記録材が撓み易いため、波うちが発生し易い。
【手続補正６】
【補正対象書類名】明細書
【補正対象項目名】００８８
【補正方法】変更
【補正の内容】
【００８８】
＜第３の実施形態＞
上述の各実施形態は、適宜組み合わせて実施可能である。例えば、図１２に示す制御装置２２０Ｂは、第１の実施形態の構成で、ニップ部で記録材を搬送する搬送速度を、縦目送りモードで第２の実施形態で示した第２搬送速度に、横目送りモードで同じく第１搬送速度に、それぞれ設定することができる。即ち、制御装置は、加熱装置と、圧接機構及び駆動機構のうちの少なくともいずれか１つとの設定を、すき目の違いによる記録紙の物性の違いに応じて変更できれば良い。